(57)【要約】【課題】無応答となったコントローラの動作状態をより容易に取得して、発生した障害の回析をより容易に行うことができるコントローラおよび動作状態取得システムを提供することを目的とする。【解決手段】  コントローラ１は、通信回線Lを介して接続されたフィールド機器を制御する。コントローラ１は、自装置の動作状態に関する情報を記憶する動作状態記憶部１４と、アンテナ１１と不揮発性メモリ１２とを有し、携帯端末装置２からの接続要求に応じて近距離無線通信を確立するＮＦＣ機能部１０と、携帯端末装置２より送出された、コントローラ１の動作状態に関する情報の書き込み要求を受け付ける書き込み要求受け付け部１３と、受け付けられた書き込み要求に基づいて、動作状態記憶部１４に記憶されている動作状態に関する情報を不揮発性メモリ１２に書き込む制御部１５とを備える。【選択図】  図１
2019124998.tif 000002
【特許請求の範囲】
【請求項１】
通信回線を介して接続された機器を制御するコントローラであって、
自装置の動作状態に関する情報を記憶する動作状態記憶部と、
アンテナと不揮発性メモリとを有し、携帯端末装置からの接続要求に応じて近距離無線通信を確立するＮＦＣ機能部と、
前記携帯端末装置より送出された、前記自装置の動作状態に関する情報の書き込み要求を受け付ける書き込み要求受け付け部と、
受け付けられた前記書き込み要求に基づいて、前記動作状態記憶部に記憶されている前記動作状態に関する情報を前記ＮＦＣ機能部が有する前記不揮発性メモリに書き込む制御部と
を備えることを特徴とするコントローラ。
【請求項２】
請求項１に記載のコントローラにおいて、
前記制御部は、前記動作状態記憶部から前記自装置のエラー情報を読み出し、前記不揮発性メモリに書き込むことを特徴とするコントローラ。
【請求項３】
請求項１または請求項２に記載のコントローラにおいて、
前記制御部は、前記動作状態記憶部から前記自装置のネットワークインターフェースに関する統計情報を読み出し、前記不揮発性メモリに書き込むことを特徴とするコントローラ。
【請求項４】
携帯端末装置と、通信回線を介して接続された機器を制御するコントローラとを備え、
前記コントローラは請求項１から３のいずれかに記載のコントローラであり、
前記携帯端末装置は、
前記コントローラに接続要求を送出して近距離無線通信を確立する携帯端末側ＮＦＣ機能部と、
前記コントローラの動作状態に関する情報の書き込み要求を送出する書き込み要求送出部と、
前記コントローラの前記ＮＦＣ機能部が有する前記不揮発性メモリに書き込まれた前記コントローラの前記動作状態に関する情報を取得する動作状態取得部と、
前記動作状態取得部によって取得された前記動作状態に関する情報を表示する表示部と
を備える
ことを特徴とする動作状態取得システム。
【請求項５】
携帯端末装置からの接続要求に応じて近距離無線通信を確立する通信確立ステップと、
前記携帯端末装置より送出された、自装置の動作状態に関する情報の書き込み要求を受け付ける書き込み要求受け付けステップと、
受け付けられた前記書き込み要求に基づいて、動作状態記憶部に記憶されている前記動作状態に関する情報を不揮発性メモリに書き込む制御ステップと
を備えることを特徴とする動作状態取得方法。
【発明の詳細な説明】
【技術分野】
【０００１】
本発明は、コントローラ、動作状態取得システムおよび方法に関し、特に近距離無線通信を利用して機器の動作状態を取得する技術に関する。
【背景技術】
【０００２】
従来より、空調制御システムや産業用制御システムは、センサやアクチュエータなどのフィールド機器やＩ／Ｏ端末が配置される末端の下位層と、これらを入出力対象として制御するコントローラの上位層とによる２階層の論理階層構造で構成されている。
【０００３】
また、従来より、図９に示すような、複数のコントローラを束ねて統合的な制御を行うコントローラを備えた３階層の論理階層構造で構成される空調制御システムや産業用制御システムがある（特許文献１から３参照。）。
【０００４】
例えば、特許文献１は、フィールド機器を監視制御するコントローラと、各コントローラを監視制御する上位コントローラと、上位コントローラを制御し、その配下にあるコントローラを介してフィールド機器を監視制御する中央監視装置とを備える３階層の論理階層構造を有する産業用制御システムを開示している。特許文献１に記載されている産業用制御システムにおいて、コントローラと、上位コントローラと、中央監視装置とは通信回線を介して互いに接続されている。
【０００５】
上記のような従来の空調制御システムや産業用制御システムでは、通常運用時においては、各コントローラの動作状態に関する情報は、通信回線などのネットワークを介して中央監視装置のＰＣまたはエンジニアリングツールのＰＣによって取得される。
【先行技術文献】
【特許文献】
【０００６】
【特許文献１】特開２００５−２８４４６８号公報
【特許文献２】特開２０１４−００６７７９号公報
【特許文献３】特開２００９−２７０７７９号公報
【発明の概要】
【発明が解決しようとする課題】
【０００７】
しかし、従来の技術では、コントローラなどの機器が通信障害などにより無応答となった場合に、中央監視装置は、コントローラの動作状態を通信回線を経由して取得することができなくなる。そのため、発生した障害について回析を行う場合に原因究明が困難になる問題があった。
【０００８】
本発明は、上述した課題を解決するためになされたものであり、無応答となったコントローラの動作状態をより容易に取得して、発生した障害の回析をより容易に行うことができるコントローラおよび動作状態取得システムを提供することを目的とする。
【課題を解決するための手段】
【０００９】
上述した課題を解決するために、本発明に係るコントローラは、通信回線を介して接続された機器を制御するコントローラであって、自装置の動作状態に関する情報を記憶する動作状態記憶部と、アンテナと不揮発性メモリとを有し、携帯端末装置からの接続要求に応じて近距離無線通信を確立するＮＦＣ機能部と、前記携帯端末装置より送出された、前記自装置の動作状態に関する情報の書き込み要求を受け付ける書き込み要求受け付け部と、受け付けられた前記書き込み要求に基づいて、前記動作状態記憶部に記憶されている前記動作状態に関する情報を前記ＮＦＣ機能部が有する前記不揮発性メモリに書き込む制御部とを備えることを特徴とする。
【００１０】
また、本発明に係るコントローラにおいて、前記制御部は、前記動作状態記憶部から前記自装置のエラー情報を読み出し、前記不揮発性メモリに書き込んでもよい。
【００１１】
また、本発明に係るコントローラにおいて、前記制御部は、前記動作状態記憶部から前記自装置のネットワークインターフェースに関する統計情報を読み出し、前記不揮発性メモリに書き込んでもよい。
【００１２】
また、本発明に係る動作状態取得システムは、携帯端末装置と、通信回線を介して接続された機器を制御するコントローラとを備え、前記コントローラは請求項１から３のいずれかに記載のコントローラであり、前記携帯端末装置は、前記コントローラに接続要求を送出して近距離無線通信を確立する携帯端末側ＮＦＣ機能部と、前記コントローラの動作状態に関する情報の書き込み要求を送出する書き込み要求送出部と、前記コントローラの前記ＮＦＣ機能部が有する前記不揮発性メモリに書き込まれた前記コントローラの前記動作状態に関する情報を取得する動作状態取得部と、前記動作状態取得部によって取得された前記動作状態に関する情報を表示する表示部とを備えることを特徴とする。
【００１３】
また、本発明に係る動作状態取得方法は、携帯端末装置からの接続要求に応じて近距離無線通信を確立する通信確立ステップと、前記携帯端末装置より送出された、自装置の動作状態に関する情報の書き込み要求を受け付ける書き込み要求受け付けステップと、受け付けられた前記書き込み要求に基づいて、動作状態記憶部に記憶されている前記動作状態に関する情報を不揮発性メモリに書き込む制御ステップとを備えることを特徴とする。
【発明の効果】
【００１４】
本発明によれば、近距離無線通信により携帯端末装置から受け付けられた書き込み要求に基づいて、コントローラの動作状態に関する情報を不揮発性メモリに書き込むため、無応答となったコントローラの動作状態をより容易に取得することができる。その結果として、発生した障害の回析をより容易に行うことができる。
【図面の簡単な説明】
【００１５】
【図１】図１は、本発明の実施の形態に係る動作状態取得システムの構成を示すブロック図である。
【図２】図２は、本発明の実施の形態に係るコントローラのハードウェア構成を示すブロック図である。
【図３】図３は、本発明の実施の形態に係る携帯端末装置のハードウェア構成を示すブロック図である。
【図４】図４は、本発明の実施の形態に係るコントローラの動作を説明するフローチャートである。
【図５】図５は、本発明の実施の形態に係るコントローラの動作を説明するシーケンス図である。
【図６Ａ】図６Ａは、本発明の実施の形態に係る携帯端末装置の表示部の表示例を示す図である。
【図６Ｂ】図６Ｂは、本発明の実施の形態に係る携帯端末装置の表示部の表示例を示す図である。
【図６Ｃ】図６Ｃは、本発明の実施の形態に係る携帯端末装置の表示部の表示例を示す図である。
【図７Ａ】図７Ａは、本発明の実施の形態に係る携帯端末装置の表示部の表示例を示す図である。
【図７Ｂ】図７Ｂは、本発明の実施の形態に係る携帯端末装置の表示部の表示例を示す図である。
【図８】図８は、本発明の実施の形態に係る携帯端末装置の表示部の表示例を示す図である。
【図９】図９は、従来の空調制御システムの説明図である。
【発明を実施するための形態】
【００１６】
以下、本発明の好適な実施の形態について、図１から図８を参照して詳細に説明する。各図について共通する構成要素には、同一の符号が付されている。
【００１７】
［実施の形態］
図１は、本発明の実施の形態に係る動作状態取得システム１Ａの構成を示すブロック図である。
【００１８】
図１に示すように、本発明の実施の形態に係る動作状態取得システム１Ａは、コントローラ１と、携帯端末装置２とを備える。動作状態取得システム１Ａは、２階層や３階層の論理階層構造を有する空調制御システムや産業用制御システムなどに設けられる。
【００１９】
コントローラ１は、空調制御システムや産業用制御システムなどにおいて、圧力計や空調装置などのフィールド機器を監視および制御する下位コントローラである。なお、コントローラ１は、複数の下位コントローラを監視および制御する上位コントローラであってもよい。
【００２０】
コントローラ１は、通信回線Ｌを介してフィールド機器（図示しない）および中央監視装置３と互いに接続している。コントローラ１は、携帯端末装置２と近距離無線通信（Ｎｅａｒ  Ｆｉｅｌｄ  Ｃｏｍｍｕｎｉｃａｔｉｏｎ：ＮＦＣ、以下「ＮＦＣ通信」という。）を行う。なお、コントローラ１が有する各構成の詳細は後述する。
【００２１】
携帯端末装置２は、入力部２０、書き込み要求送出部２１、ＮＦＣ機能部２２（携帯端末側ＮＦＣ機能部）、動作状態取得部２３、動作状態記憶部２４、および表示部２５を備える。
携帯端末装置２は、例えば、スマートフォンやタブレット端末などの携帯端末により実現される。
【００２２】
入力部２０は、携帯端末装置２のユーザによる入力操作を受け付ける。入力部２０は、携帯端末装置２におけるＮＦＣ機能のオン・オフ、書き込み要求の送出操作、および表示部２５に表示されるコントローラ１の動作状態に関する情報に対する編集操作などの入力を受け付ける。
【００２３】
入力部２０に入力された操作や指示に基づいて、後述する書き込み要求送出部２１およびＮＦＣ機能部２２はそれぞれの処理を実行する。
【００２４】
書き込み要求送出部２１は、入力部２０の入力に基づいて、コントローラ１に対して、コントローラ１（自装置）の動作状態に関する情報の書き込み要求を送出する。書き込み要求とは、コントローラ１の動作状態に関する情報の現在値を、コントローラ１のＮＦＣ機能部１０における不揮発性メモリ１２に書き込むことをコントローラ１に要求することをいう。
【００２５】
ＮＦＣ機能部２２はＮＦＣ通信を行う。ＮＦＣ機能部２２は、コントローラ１のＮＦＣ機能部１０にＮＦＣ通信の接続要求を送出し、ＮＦＣ接続を確立する。ＮＦＣ機能部２２は、図示しないＮＦＣコントローラ、およびＮＦＣアンテナなどを有するＮＦＣリーダライタにより実現される。
【００２６】
動作状態取得部２３は、中央監視装置３において無応答となっているコントローラ１の動作状態に関する情報の現在値を取得する。より詳細には、動作状態取得部２３は、ＮＦＣ通信により、コントローラ１のＮＦＣ機能部１０が有する不揮発性メモリ１２に書き込まれたコントローラ１の動作状態に関する情報の現在値を取得する。
【００２７】
動作状態取得部２３は、コントローラ１の動作状態に関する情報として、例えば、コントローラ１のエラーログなどのエラー情報、およびイーサネット（Ｅｔｈｅｒｎｅｔ：登録商標）統計情報などの通信統計情報（コントローラ１のネットラークインターフェースに関する統計情報）などを取得する。
【００２８】
動作状態記憶部２４は、動作状態取得部２３によって取得されたコントローラ１の動作状態に関する情報を記憶する。
【００２９】
表示部２５は、動作状態取得部２３によって取得され、動作状態記憶部２４に記憶されているコントローラ１の動作状態に関する情報を表示する。なお、表示部２５における動作状態に関する情報の表示例については後述する。
【００３０】
次に、コントローラ１の構成を説明する。
コントローラ１は、図１に示すように、通信回線Ｌを介して中央監視装置３、および制御対象のフィールド機器（図示しない）と接続している。
コントローラ１は、ＮＦＣ機能部１０、書き込み要求受け付け部１３、動作状態記憶部１４、および制御部１５を備える。
【００３１】
ＮＦＣ機能部１０は、アンテナ１１と不揮発性メモリ１２とを有するＮＦＣタグにより実現される。ＮＦＣ機能部１０はＮＦＣ通信を行う。ＮＦＣ機能部１０は、携帯端末装置２からの接続要求に応じてＮＦＣ接続を確立する。
【００３２】
なお、ＮＦＣ機能部１０に対しては、携帯端末装置２側によるＮＦＣ通信によるアクセスと、コントローラ１の制御部１５側による後述のＩ2Ｃ（Ｉｎｔｅｒ−Ｉｎｔｅｇｒａｔｅｄ  Ｃｉｒｃｕｉｔ：登録商標、以下同じ。）を介したアクセスを同時に行うことはできない。
【００３３】
アンテナ１１は、ＮＦＣ通信に対応したアンテナである。
不揮発性メモリ１２は、ＮＦＣタグに内蔵されている不揮発性メモリである。不揮発性メモリ１２は、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ：登録商標、以下同じ。）で実現される。不揮発性メモリ１２は、記憶するデータの消去および再書き込みが可能であり、書き換え回数には限度を有する。
【００３４】
また、不揮発性メモリ１２は、携帯端末装置２が有する書き込み要求送出部２１によって送出された書き込み要求を一時的に記憶する。
【００３５】
また、不揮発性メモリ１２には、コントローラ１が備える２線式のインターフェースであるＩ2Ｃ（図示しない）を介して、制御部１５により動作状態に関する情報が書き込まれる。
【００３６】
書き込み要求受け付け部１３は、携帯端末装置２の書き込み要求送出部２１より送出された書き込み要求を受け付ける。
動作状態記憶部１４は、コントローラ１の動作状態に関する情報を記憶する。より詳細には、動作状態記憶部１４は、コントローラ１の動作状態に関する情報として、エラーログなどのエラー情報やイーサネット統計情報などの通信統計情報を記憶する。動作状態記憶部１４は、例えば、ＲＡＭにより実現される。
【００３７】
制御部１５は、通信回線Ｌを介してコントローラ１に接続されているフィールド機器などの制御や監視を実行し、コントローラ１の動作状態に関する情報を動作状態記憶部１４に書き込む。また、制御部１５は、書き込み要求受け付け部１３によって受け付けられた書き込み要求に基づいて、動作状態記憶部１４に記憶されているコントローラ１の動作状態に関する情報を不揮発性メモリ１２に書き込む。
【００３８】
より詳細には、制御部１５は、不揮発性メモリ１２に一時的に記憶されている書き込み要求を読み出し、書き込み処理を実行する。制御部１５は、動作状態記憶部１４からエラー情報の現在値および通信統計情報の現在値を読み出し、不揮発性メモリ１２に書き込む。
【００３９】
制御部１５が不揮発性メモリ１２に書き込むエラー情報は、例えば、エラーログの場合には、エラーの発生状態を示す情報と、エラーのレベルを示す情報と、エラーログの日時、エラードメインＩＤおよびエラーコードと、ドメイン名と、エラー詳細情報とを含む。
【００４０】
制御部１５が不揮発性メモリ１２に書き込む通信統計情報は、例えば、イーサネットの統計情報の場合には、受信成功フレーム数、受信ブロードキャストフレーム数、受信マルチキャストフレーム数、受信成功バイト総数などの項目を含む。
【００４１】
［コントローラのハードウェア構成］
次に、コントローラ１のハードウェア構成について図２を参照して説明する。図２に示すように、コントローラ１００は、バス１０１を介して接続される、ＣＰＵ１０３と主記憶部１０４とを含む演算装置１０２、通信制御装置１０５、記憶装置１０６、アンテナ１０７およびＩ／Ｆ１０８を備えるコンピュータと、これらのハードウェア資源を制御するプログラムによって実現することができる。
【００４２】
ＣＰＵ１０３と主記憶部１０４とは演算装置１０２を構成する。主記憶部１０４には、ＣＰＵ１０３が各種制御や演算を行うためのプログラムが予め格納されている。演算装置１０２によって、図１で示したコントローラ１の機能が実現される。また、図１で示した不揮発性メモリ１２は、主記憶部１０４によって実現される。
【００４３】
通信制御装置１０５は、コントローラ１００と各種外部電子機器との間をネットワーク接続するための制御装置である。通信制御装置１０５によって、図１で示したＮＦＣ機能部１０の機能が実現される。
【００４４】
記憶装置１０６は、読み書き可能な記憶媒体と、その記憶媒体に対してプログラムやデータなどの各種情報を読み書きするための駆動装置とで構成されている。記憶装置１０６には、記憶媒体としてハードディスクや半導体メモリを使用することができる。記憶装置１０６は、動作情報記憶部１０６ａ、プログラム格納部１０６ｂ、図示しないその他の格納装置で、例えば、この記憶装置１０６内に格納されているプログラムやデータなどをバックアップするための格納装置などを有することができる。
【００４５】
動作情報記憶部１０６ａは、例えば、コントローラ１の過去の動作状態を示す情報を記憶する。
プログラム格納部１０６ｂには、本実施の形態におけるＮＦＣ通信、書き込み処理などを行うために必要な処理を実行するための各種プログラムが格納されている。
アンテナ１０７は、ＮＦＣ通信に対応したアンテナであり、図１のＮＦＣ機能部１０に含まれるアンテナ１１に対応する。
【００４６】
Ｉ／Ｆ１０８は、各種機器を接続するための入出力インターフェースである。Ｉ／Ｆ１０８は、図１で説明した、コントローラ１内で制御部１５とＮＦＣ機能部１０とを接続するＩ2Ｃを構成する。
【００４７】
［携帯端末装置のハードウェア構成］
次に、携帯端末装置２のハードウェア構成について図３を参照して説明する。図３に示すように、携帯端末装置２００は、バス２０１を介して接続される、ＣＰＵ２０３と主記憶部２０４とを含む演算装置２０２、通信制御装置２０５、記憶装置２０６、アンテナ２０７、入力装置２０８、および表示装置２０９を備えるコンピュータと、これらのハードウェア資源を制御するプログラムによって実現することができる。
【００４８】
ＣＰＵ２０３と主記憶部２０４とは演算装置２０２を構成する。主記憶部２０４には、ＣＰＵ２０３が各種制御や演算を行うためのプログラムが予め格納されている。
通信制御装置２０５は、図１で示したＮＦＣ機能部２２の機能を実現する。
【００４９】
記憶装置２０６は、読み書き可能な記憶媒体と、その記憶媒体に対してプログラムやデータなどの各種情報を読み書きするための駆動装置とで構成されている。記憶装置２０６には、記憶媒体としてハードディスクや半導体メモリを使用することができる。記憶装置２０６は、動作状態記憶部２０６ａ、プログラム格納部２０６ｂ、図示しないその他の格納装置で、例えば、この記憶装置２０６内に格納されているプログラムやデータなどをバックアップするための格納装置などを有することができる。
【００５０】
動作状態記憶部２０６ａには、図１で示した動作状態記憶部２４に対応し、動作状態取得部２３が取得したコントローラ１の動作状態に関する情報が記憶される。
【００５１】
プログラム格納部２０６ｂには、本実施の形態におけるＮＦＣ通信、動作状態取得処理や表示処理などを行うために必要な処理を実行するための各種プログラムが格納されている。
アンテナ２０７は、ＮＦＣ通信に対応したアンテナである。
【００５２】
入力装置２０８は、文字を入力するための文字キーやテンキー、各種機能を実現するための機能キーなどが配置されている。入力装置２０８によって、図１で示した入力部２０が実現される。なお、入力装置２０８は、後述する表示装置２０９の表面に配置されるタッチパネルによって構成されてもよい。
【００５３】
表示装置２０９は、液晶ディスプレイなどが使用される。表示装置２０９には、入力装置２０８による入力結果が表示されたり、コントローラ１００の動作状態に関する情報が表示される。表示装置２０９によって図１で示した表示部２５が実現される。
【００５４】
［コントローラの動作］
上述した構成を有するコントローラ１の動作について、図４のフローチャートを参照して説明する。まず、携帯端末装置２において、ユーザの操作に基づいて、ＮＦＣ機能を有効とする設定情報が入力される。携帯端末装置２が、ＮＦＣ通信の対象範囲内、例えば、コントローラ１から１０ｃｍなどの範囲に移動すると、コントローラ１のＮＦＣ機能部１０は、携帯端末装置２のＮＦＣ機能部２２から接続要求を受信する（ステップＳ１）。
【００５５】
次に、ＮＦＣ機能部１０は、携帯端末装置２との接続を確立する（ステップＳ２）。ＮＦＣ接続が確立することにより、携帯端末装置２とコントローラ１とはＮＦＣ通信によるデータのやり取りが可能となる。
【００５６】
次に、書き込み要求受け付け部１３は、携帯端末装置２の入力部２０に入力され、書き込み要求送出部２１によって送出された書き込み要求を受け付ける（ステップＳ３）。
【００５７】
その後、制御部１５は、書き込み要求受け付け部１３によって受け付けられた書き込み要求に基づいて、動作状態記憶部１４に記憶されているコントローラ１の動作状態に関する情報の現在値を読み出し、不揮発性メモリ１２の所定の領域に書き込みを行う（ステップＳ４）。なお、制御部１５は、不揮発性メモリ１２の所定の領域に古いデータが存在する場合には、その古いデータを消去して、動作状態に関する情報の現在値を書き込む。
【００５８】
［コントローラの動作シーケンス］
次に、コントローラ１の動作シーケンスについて、図５を参照して説明する。図５に示すように、まず、携帯端末装置２からＮＦＣ通信の接続要求が送出される（ステップＳ１０１）。コントローラ１は、接続要求に基づいてＮＦＣ通信を確立する（ステップＳ１０２）。
【００５９】
ＮＦＣ通信が確立すると、携帯端末装置２は、コントローラ１に書き込み要求を送出する（ステップＳ１０３）。次に、コントローラ１は、書き込み要求を受け付けると、動作状態記憶部１４からコントローラ１の動作状態に関する情報の現在値を読み出し、コントローラ１のＮＦＣ機能部１０における不揮発性メモリ１２に書き込みを行う（ステップＳ１０４）。
【００６０】
次に、携帯端末装置２は、不揮発性メモリ１２に書き込まれたコントローラ１の動作状態に関する情報の現在値を取得する（ステップＳ１０５）。その後、携帯端末装置２は、取得したコントローラ１の動作状態に関する情報の現在値を表示部２５に表示する（ステップＳ１０６）。
【００６１】
ここで、携帯端末装置２の表示部２５に表示されるコントローラ１の動作状態に関する情報の表示例について図６Ａから図８を参照して説明する。
【００６２】
図６Ａから図６Ｃは、表示部２５における画面の基本構成例を示す図である。
図６Ａに示すように、携帯端末装置２の表示部２５において、領域ａ１には動作状態に関する情報の名称であるレコード名が表示され、領域ａ２には動作状態に関する情報の詳細がリスト表示される。
【００６３】
また、図６Ｂに示すように、ユーザが、図６Ａに示す領域ａ２に表示されている動作状態に関する情報の詳細のうちのいずれかを選択して、タップした場合には、選択された動作状態を示す情報が領域ａ４に拡大表示され、ユーザによる編集が可能となる。なお、領域ａ３には、図６Ａの領域ａ１と同様にレコード名が表示される。領域ａ５には、編集操作の入力ボタンが表示されている。
【００６４】
また、図６Ｃに示すように、表示部２５は、フルスクリーンの画面の領域ａ７に、動作状態に関する情報を編集可能なデータとして表示してもよい。なお、領域ａ６には、動作状態に関する情報の名称を示すレコード名が表示される。
【００６５】
図６Ａから図６Ｃに示すように、スクロールを伴わない程度の少量のデータからなる動作状態に関する情報が編集可能に表示される場合のみダイアログによる表示とし、それ以外の場合はフルスクリーン表示とする構成を採用してもよい。
【００６６】
図７Ａおよび図７Ｂは、表示部２５における動作状態に関する情報の具体的な表示例を示す図である。コントローラ１の動作状態に関する情報としてエラーログが表示部２５に表示される場合について説明する。
【００６７】
図７Ａに示すように、領域ａ８には、各エラーログのエラーのレベルに応じたラベル、およびアイコンが表示される。また、領域ａ９には、エラーログ日時、エラーコード、およびエラー名称が表示される。
【００６８】
図７Ｂは、ユーザが、図７Ａに示す所定のエラーログを選択した場合に表示部２５に表示されるエラーの詳細情報を示す図である。領域ａ１０には、ユーザにより選択されたエラーログの詳細情報が表示される。領域ａ１０に表示されるエラーログの詳細には、ダイアログタイトルとして、エラーレベルアイコンとエラーログ日時が表示される。また、領域ａ１０には、エラーの内容などが表示される。
【００６９】
図８は、表示部２５における動作状態に関する情報の具体的な表示例を示す図である。コントローラ１の動作状態に関する情報としてイーサネット統計情報が表示部２５に表示される場合について説明する。
【００７０】
図８に示すように、領域ａ１１には、統計情報がリスト表示される。より詳細には、領域ａ１１には、イーサネット統計情報のカウント数がリスト表示される。表示項目としては、図８に示すように、受信成功フレーム数、受信ブロードキャストフレーム数、受信マルチキャストフレーム数などが含まれる。
【００７１】
なお、各項目には、例えば、「Ｉｎｆｏ」や「Ｅｒｒｏｒ」など、エラーレベルに応じたアイコンが表示される。なお、統計情報の項目のレベルが「Ｅｒｒｏｒ」のものについては、カウント値が０の場合には表示しない構成を採用してもよい。これにより、カウント値が上がる可能性が無い項目の表示項目数を減らすことが可能となる。
【００７２】
以上本実施の形態で説明したように、通信障害の発生などにより通信回線Ｌが断絶されると、中央監視装置３においてコントローラ１が無応答となる。このような場合に、動作状態取得システム１Ａは、無応答となったコントローラ１の動作状態に関する情報を取得する。
【００７３】
動作状態取得システム１Ａは、中央監視装置３において無応答となっているコントローラ１と携帯端末装置２とがＮＦＣ通信でデータのやり取りを行う。そのため、中央監視装置３が通信回線Ｌを介してコントローラ１の動作状態を取得することができない場合であっても、中央監視装置３との通信が断絶したコントローラ１の動作状態を把握することができる。
【００７４】
すなわち、本実施の形態によれば、ＮＦＣ通信により携帯端末装置２から受け付けられた書き込み要求に基づいて、コントローラ１の動作状態に関する情報を不揮発性メモリ１２に書き込むため、無応答となったコントローラ１の動作状態をより容易に取得することができる。その結果として、発生した障害の回析をより容易に行うことができる。
【００７５】
以上、本発明のコントローラ、動作状態取得システムおよび動作状態取得方法における実施の形態について説明したが、本発明は説明した実施の形態に限定されるものではなく、請求項に記載した発明の範囲において当業者が想定し得る各種の変形を行うことが可能である。
【符号の説明】
【００７６】
１、１００…コントローラ、１Ａ…動作状態取得システム、２…携帯端末装置、３…中央監視装置、１０…ＮＦＣ機能部、１１…アンテナ、１２…不揮発性メモリ、１３…書き込み要求受け付け部、１４、２４、２０６ａ…動作状態記憶部、１５…制御部、２０…入力部、２１…書き込み要求送出部、２２…ＮＦＣ機能部（携帯端末側ＮＦＣ機能部）、２３…動作状態取得部、２５…表示部、１０１、２０１…バス、１０２、２０２…演算装置、１０３、２０３…ＣＰＵ、１０４、２０４…主記憶部、１０５、２０５…通信制御装置、１０６、２０６…記憶装置、１０６ａ…動作情報記憶部、１０６ｂ、２０６ｂ…プログラム格納部、１０７、２０７…アンテナ、１０８…Ｉ／Ｆ、２０８…入力装置、２０９…表示装置。
【図１】
2019124998.tif 000003
【図２】
2019124998.tif 000004
【図３】
2019124998.tif 000005
【図４】
2019124998.tif 000006
【図５】
2019124998.tif 000007
【図６Ａ】
2019124998.tif 000008
【図６Ｂ】
2019124998.tif 000009
【図６Ｃ】
2019124998.tif 000010
【図７Ａ】
2019124998.tif 000011
【図７Ｂ】
2019124998.tif 000012
【図８】
2019124998.tif 000013
【図９】
2019124998.tif 000014